(57)【特許請求の範囲】
【請求項１】
複数のセルを介した移動機との無線通信を制御する無線通信制御部と、
前記移動機から報告されるセルの受信品質、前記セルの運用帯域幅及び前記セルと無線通信している移動機の個数に基づき、前記セルのスループットを推定するスループット推定部と、
を有する基地局であって、
前記無線通信制御部は、前記推定されたスループットに基づき前記移動機の接続先のセルを決定し、
前記スループット推定部は、前記セルの受信品質から前記セルにおける単位帯域あたりのスループットを推定すると共に、前記セルの運用帯域幅と移動機の個数とから前記セルで各移動機が平均的に使用可能な使用可能帯域幅を算出し、前記推定した単位帯域あたりのスループットと前記算出した使用可能帯域幅との積を前記セルのスループットとして利用する基地局。
【請求項２】
前記スループット推定部は、前記単位帯域あたりのスループットとＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）との間の対応関係を示す対応関係情報を保持し、
前記スループット推定部は、前記移動機から報告されるセルのＲＳＲＱ（Ｒｅｆｅｒｅｎｃｅ  Ｓｉｇｎａｌ  Ｒｅｃｅｉｖｅｄ  Ｑｕａｌｉｔｙ）と、リソースブロック（ＲＢ）使用率とに基づき前記セルのＳＩＮＲを算出し、前記対応関係情報を参照して前記算出したＳＩＮＲに対応する単位帯域あたりのスループットを特定する、請求項１記載の基地局。
【請求項３】
前記スループット推定部は、ＳＩＮＲ＝α・ＲＳＲＱ／（１−α・ＲＳＲＱ）により前記ＳＩＮＲを算出し、
パラメータαは、α＝０．０８・ＲＢ使用率＋４により算出される、請求項２記載の基地局。
【請求項４】
前記無線通信制御部は、前記推定されたスループットが最も高いセルを前記移動機の接続先のセルとして決定する、請求項１乃至３何れか一項記載の基地局。
【請求項５】
複数のセルを介した移動機との無線通信を制御する無線通信制御部と、
前記移動機から報告されるセルの受信品質、前記セルの運用帯域幅及び前記セルと無線通信している移動機の個数に基づき、前記セルのスループットを推定するスループット推定部と、
を有する基地局であって、
前記無線通信制御部は、前記推定されたスループットに基づき前記移動機の接続先のセルを決定し、
前記移動機は、キャリアアグリゲーション機能をサポートし、
前記スループット推定部は、各セルのスループットをセル単位スループットとして推定し、キャリアアグリゲーション可能なセルの組み合わせについて前記推定されたセル単位スループットの和をトータルスループットとして算出し、
前記無線通信制御部は、前記算出したトータルスループットに基づき前記移動機の接続先のプライマリセルとセカンダリセルとを決定する基地局。
【請求項６】
前記無線通信制御部は、前記トータルスループットのうち最も高いスループット値を有するセルの組み合わせを前記移動機の接続先のプライマリセルとセカンダリセルとして決定する、請求項５記載の基地局。
【請求項７】
前記無線通信制御部は、前記セル単位スループットのうち最も高いスループット値を有するセルをプライマリセルとして選択し、前記プライマリセルとキャリアアグリゲーション可能なセルのセル単位スループットのうち最も高いスループット値を有するセルをセカンダリセルとして選択する、請求項５記載の基地局。
【請求項８】
複数のセルを介し移動機と無線通信する基地局におけるバンド分散制御方法であって、
各セルの運用帯域幅と、各セルと無線通信している移動機の個数とを収集するステップと、
前記移動機から報告されるセルの受信品質を受信するステップと、
前記セルの受信品質、運用帯域幅及び移動機の個数に基づき、前記セルのスループットを推定するステップと、
前記推定されたスループットに基づき前記移動機の接続先のセルを決定するステップと、
を有し、
前記スループットを推定するステップは、前記セルの受信品質から前記セルにおける単位帯域あたりのスループットを推定すると共に、前記セルの運用帯域幅と移動機の個数とから前記セルで各移動機が平均的に使用可能な使用可能帯域幅を算出し、前記推定した単位帯域あたりのスループットと前記算出した使用可能帯域幅との積を前記セルのスループットとして利用するバンド分散制御方法。
【請求項９】
複数のセルを介し移動機と無線通信する基地局におけるバンド分散制御方法であって、
各セルの運用帯域幅と、各セルと無線通信している移動機の個数とを収集するステップと、
前記移動機から報告されるセルの受信品質を受信するステップと、
前記セルの受信品質、運用帯域幅及び移動機の個数に基づき、前記セルのスループットを推定するステップと、
前記推定されたスループットに基づき前記移動機の接続先のセルを決定するステップと、
を有し、
前記移動機は、キャリアアグリゲーション機能をサポートし、
前記スループットを推定するステップは、各セルのスループットをセル単位スループットとして推定し、キャリアアグリゲーション可能なセルの組み合わせについて前記推定されたセル単位スループットの和をトータルスループットとして算出し、
前記決定するステップは、前記算出したトータルスループットに基づき前記移動機の接続先のプライマリセルとセカンダリセルとを決定するバンド分散制御方法。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムでは、基地局（ｅｖｏｌｖｅｄ  ＮｏｄｅＢ：ｅＮＢ）が提供する複数の周波数帯域間で移動機（Ｕｓｅｒ  Ｅｑｕｉｐｍｅｎｔ：ＵＥ）を分散させるためのバンド分散制御が実行されている。各移動機が発着信の際に選択したバンドに在圏し続けた場合、バンド間の負荷に偏りが生じる可能性があるためである。典型的なバンド分散制御では、基地局は、移動機が在圏しているセルの輻輳状態と他のセル（オーバレイセル）の輻輳状態とに基づき、輻輳度が低いセルに移動機をハンドオーバさせる。
【０００３】
例えば、図１に示されるように、移動機が発着信時に８００ＭＨｚ帯のセルに接続したとする。この８００ＭＨｚ帯のセルは輻輳度が高く、移動機は良好なスループットを実現できない。このため、基地局は、輻輳度のより低い２ＧＨｚ帯のセルに移動機をハンドオーバさせる。このようにバンド分散ハンドオーバ制御によると、バンド間の負荷の偏りを軽減すると共に、移動機のスループットの改善を図ることができる。
【０００４】
ＬＴＥシステムでは、このようなバンド分散ハンドオーバ制御は、図２に示されるような処理シーケンスにより実行される。すなわち、基地局は、セル＃１、セル＃２、セル＃３，...，セル＃ｘの輻輳度を定期的に収集する。ステップＳ１１において、移動機が、発着信などのためセル＃１への接続を要求したとする。ステップＳ１２において、基地局は、定期的に収集している各セルの輻輳度を比較し、セル＃１よりも輻輳度が低いセルが他に存在することを検出したとする。ステップＳ１３において、基地局は、移動機に他セルの品質を測定させるため、ＲＲＣ  Ｃｏｎｎｅｃｔｉｏｎ  Ｒｅｃｏｎｆｉｇｕｒａｔｉｏｎを送信する。当該ＲＲＣ  Ｃｏｎｎｅｃｔｉｏｎ  Ｒｅｃｏｎｆｉｇｕｒａｔｉｏｎを受信すると、移動機は、ステップＳ１４において、ＲＲＣ  Ｃｏｎｎｅｃｔｉｏｎ  Ｒｅｃｏｎｆｉｇｕｒａｔｉｏｎ  Ｃｏｍｐｌｅｔｅにより応答すると共に、他セルの受信品質を測定する。ステップＳ１５において、移動機は、各セルの受信品質が基地局により指定された条件を充足している場合、測定した受信品質をＭｅａｓｕｒｅｍｅｎｔ  Ｒｅｐｏｒｔとして基地局に報告する。ステップＳ１６において、基地局は、受信品質が条件を満たしているセルの中で、セル＃２が最も輻輳度合が低いと判定したとする。この場合、基地局は、セル＃１からセル＃２へのハンドオーバを移動機に対して実行する。ハンドオーバ後、移動機は、輻輳度の低いセル＃２において無線通信を継続する。
【０００５】
また、ＬＴＥ−Ａｄｖａｎｃｅｄシステムでは、複数のＬＴＥキャリアを束ねて同時送信することによって伝送速度の向上を図るキャリアアグリゲーション（ＣＡ）が導入される。例えば、図３に示されるように、１．５ＧＨｚ帯と２ＧＨｚ帯との２つの帯域がキャリアアグリゲーション可能である場合、ＣＡ対応端末は、これら２つの帯域を同時に用いたキャリアアグリゲーションにより基地局と通信できる。他方、ＣＡ非対応端末は、それがサポートする帯域（図示された例では、２ＧＨｚ）のみで基地局と通信する。図示されるように、ＣＡ対応端末は、１．５ＧＨｚ帯と２ＧＨｚ帯との双方を同時に利用して基地局と通信することができるため、ＣＡ非対応端末と比較して伝送速度の向上を図ることができる。ここで、キャリアアグリゲーションにより同時に利用されるセルは、プライマリセル（ＰＣｅｌｌ）とセカンダリセル（ＳＣｅｌｌ）とに分類され、ＣＡ対応端末はまずプライマリセルに接続し、当該プライマリセルに加えて、基地局により新たに設定されたセカンダリセルを用いてキャリアアグリゲーションを実行する。
【先行技術文献】
【特許文献】
【０００６】
【特許文献１】特開２０１４−１７５８６８
【発明の概要】
【発明が解決しようとする課題】
【０００７】
現状のバンド分散制御は、上述したように、主として各セルの輻輳度（すなわち、リソース使用量）に基づきハンドオーバ先のセルを選択している。この場合、図４に示されるように、移動機が輻輳度の高いセル＃１に接続すると、基地局は、各セルの輻輳度を比較して、輻輳度の低いセル＃２に当該移動機をハンドオーバさせる。しかしながら、図示されるように、移動機は、輻輳度の低いセル＃２のセル境界にいるため、ハンドオーバ前より受信品質が低下し、スループットの向上を図ることができない。実際には、中程度の輻輳度のセル＃４にハンドオーバすることによって、移動機はスループットを改善できたと考えられる。
【０００８】
このように、移動機がセル内の何れの地点に存在するかにより受信品質やスループットは変動するが、現状のバンド分散制御では、基地局は各セルの輻輳度に基づきハンドオーバ先のセルを決定し、移動機の受信品質やスループットを考慮しない。このため、図示された具体例のように、最も高いスループットを実現できる最適なセルに移動機をハンドオーバさせることができない。
【０００９】
上述した問題点に鑑み、本発明の課題は、スループットに基づくバンド分散制御を実現するための技術を提供することである。
【課題を解決するための手段】
【００１０】
上記課題を解決するため、本発明の一態様は、複数のセルを介した移動機との無線通信を制御する無線通信制御部と、前記移動機から報告されるセルの受信品質、前記セルの運用帯域幅及び前記セルと無線通信している移動機の個数に基づき、前記セルのスループットを推定するスループット推定部とを有する基地局であって、前記無線通信制御部は、前記推定されたスループットに基づき前記移動機の接続先のセルを決定する基地局に関する。
【００１１】
本発明の他の態様は、複数のセルを介し移動機と無線通信する基地局におけるバンド分散制御方法であって、各セルの運用帯域幅と、各セルと無線通信している移動機の個数とを収集するステップと、前記移動機から報告されるセルの受信品質を受信するステップと、前記セルの受信品質、運用帯域幅及び移動機の個数に基づき、前記セルのスループットを推定するステップと、前記推定されたスループットに基づき前記移動機の接続先のセルを決定するステップとを有するバンド分散制御方法に関する。
【発明の効果】
【００１２】
本発明によると、スループットに基づくバンド分散制御を実現することができる。
【図面の簡単な説明】
【００１３】
【図１】図１は、従来技術によるバンド分散ハンドオーバ制御を示す概略図である。
【図２】図２は、従来技術によるバンド分散ハンドオーバ制御を示すシーケンス図である。
【図３】図３は、キャリアアグリゲーションを説明するための概略図である。
【図４】図４は、従来技術による低スループットセルへのバンド分散ハンドオーバを示す概略図である。
【図５】図５は、本発明の一実施例による無線通信システムを示す概略図である。
【図６】図６は、本発明の一実施例による基地局の構成を示すブロック図である。
【図７】図７は、本発明の一実施例によるスループット推定値の算出方法を示す概略図である。
【図８】図８は、本発明の一実施例による単位帯域あたりのスループットとＳＩＮＲとの間の対応関係を示す図である。
【図９】図９は、本発明の一実施例によるリソースブロック使用率を説明するための概略図である。
【図１０】図１０は、本発明の一実施例によるバンド分散ハンドオーバ制御を示すシーケンス図である。
【図１１】図１１は、本発明の一実施例によるキャリアアグリゲーションにおけるスループット推定値の算出方法を示す概略図である。
【発明を実施するための形態】
【００１４】
以下、図面に基づいて本発明の実施の形態を説明する。
【００１５】
以下の実施例では、スループットに基づくバンド分散制御を実現する基地局が開示される。後述される実施例を概略すると、基地局は、所定の運用帯域幅を有する複数のセルを提供し、当該基地局及び隣接基地局により提供される各セルにおいて無線通信している移動機の個数を収集する。移動機に各セルの受信品質を測定させ、測定された受信品質を受信すると、基地局は、各セルの受信品質、運用帯域幅及び移動機の個数に基づき各セルのスループットを推定する。推定したスループットに基づき、基地局は移動機の接続先のセルを決定し、当該セルに移動機をハンドオーバさせる。これにより、セルの輻輳度に基づく現在のバンド分散制御と比較して、移動機は、高いスループットを実現可能なセルにおいて無線通信を継続することが可能になる。
【００１６】
まず、図５を参照して、本発明の一実施例による無線通信システムを説明する。図５は、本発明の一実施例による無線通信システムを示す概略図である。
【００１７】
図５に示されるように、無線通信システム１０は、基地局１００及び移動機２００を有する。
【００１８】
基地局１００は、複数のセルを提供し、当該セルを介し移動機２００と無線通信する。図示された実施例では、基地局１００は、互いに異なる周波数帯のＡ１セル、Ａ２セル及びＡ３セルの３つのセルを提供する基地局１００Ａと、互いに異なる周波数帯のＢ１セル及びＢ２セルを提供する基地局１００Ｂとを含む。図示された実施例では、移動機２００は、基地局１００ＡのＡ１セルに在圏している。基地局１００Ａは、後述するようなバンド分散制御に基づき移動機２００の接続先のセルを決定する。また、基地局１００Ａは、キャリアアグリゲーション（ＣＡ）機能を有し、ＣＡ機能を有する移動機２００とＡ１〜Ａ３セル及びＢ１〜Ｂ２セルの複数のセルを同時に用いて通信することが可能である。
【００１９】
基地局１００は、典型的には、コアネットワーク（図示せず）と通信するための通信インタフェース、コアネットワークと移動機２００との間の無線通信を制御するためのプロセッサ、メモリ、回路などのハードウェアリソースにより構成される。後述される基地局１００の各機能及び処理は、メモリに格納されているデータやプログラムをプロセッサが処理又は実行することによって実現されてもよい。しかしながら、基地局１００は、上述したハードウェア構成に限定されず、他の何れか適切なハードウェア構成を有してもよい。
【００２０】
移動機２００は、複数の周波数帯域により基地局１００と通信可能なマルチバンド機能をサポートする。さらに、移動機２００は、複数のセルを同時に用いて基地局１００と通信するキャリアアグリゲーション機能をサポートしてもよい。移動機２００は、マルチバンド機能及び／又はキャリアアグリゲーション機能を用いて基地局１００により提供される１以上のセルを利用して基地局１００と無線通信する。移動機２００は、スマートフォン、携帯電話、タブレット、ウェアラブル端末などの無線通信機能を備えた何れか適切な情報処理装置であり、基地局１００と無線接続することによって、無線通信システム１０により提供される各種通信サービスを利用する。
【００２１】
次に、図６〜１１を参照して、本発明の一実施例による基地局によるバンド分散制御を説明する。図６は、本発明の一実施例による基地局の構成を示すブロック図である。
【００２２】
図６に示されるように、基地局１００は、無線通信制御部１１０及びスループット推定部１２０を有する。
【００２３】
無線通信制御部１１０は、複数のセルを介した移動機２００との無線通信を制御すると共に、スループット推定部１２０により推定されたスループットに基づき移動機２００の接続先のセルを決定する。具体的には、無線通信制御部１１０は、セルを介し移動機２００との間で各種制御信号及びデータ信号を送受信すると共に、移動機２００に対してバンド分散制御を実行する。本実施例では、無線通信制御部１１０は、後述されるように各セルの推定されたスループットに基づき、移動機２００のハンドオーバ先のセルを決定する。
【００２４】
一実施例では、無線通信制御部１１０は、推定されたスループットが最も高いセルを移動機２００の接続先のセルとして決定してもよい。これにより、移動機２００は、最も高いスループットが期待できるセルにおいて無線通信を実行することが可能になる。
【００２５】
スループット推定部１２０は、移動機２００から報告されるセルの受信品質、当該セルの運用帯域幅及び当該セルと無線通信している移動機２００の個数に基づき、当該セルのスループットを推定する。具体的には、スループット推定部１２０は、各セルのスループットを推定するため、移動機２００に各セルのＲＳＲＱ（Ｒｅｆｅｒｅｎｃｅ  Ｓｉｇｎａｌ  Ｒｅｃｅｉｖｅｄ  Ｑｕａｌｉｔｙ）などの受信品質を測定させ、移動機２００から各セルの受信品質を収集する。また、スループット推定部１２０は、基地局１００及び隣接基地局により提供される各セルにおいてデータ通信などの無線通信を実行している移動機２００の個数を定期的に収集すると共に、各セルの運用帯域幅を把握しておく。スループット推定部１２０は、このようにして取得した各セルの受信品質、運用帯域幅及び移動機２００の個数に基づき、当該セルのスループットを推定する。
【００２６】
一実施例では、スループット推定部１２０は、セルの受信品質から当該セルにおける単位帯域あたりのスループットを推定すると共に、当該セルの運用帯域幅と移動機の個数とから当該セルで各移動機２００が平均的に使用可能な使用可能帯域幅を算出し、推定した単位帯域あたりのスループットと算出した使用可能帯域幅との積を当該セルのスループットとして利用してもよい。具体的には、図７のグラフにより示されるように、スループット推定部１２０は、ＲＳＲＱと単位帯域あたりのスループット［ｂｐｓ／Ｈｚ］との対応関係を示す算出式又はテーブルを予め保持し、移動機２００からＭｅａｓｕｒｅｍｅｎｔ  Ｒｅｐｏｒｔにより報告されたセルのＲＳＲＱに対応する単位帯域あたりのスループットを特定する。さらに、スループット推定部１２０は、セルの運用帯域幅（図示された例では、１０ＭＨｚ）と、ハンドオーバにより移動機２００が新たに接続した場合の当該セルの移動機２００の個数（図示された例では、接続済みのユーザ１、ユーザ２及びユーザ３と新たに接続するハンドオーバユーザの４つの移動機２００）とを特定する。スループット推定部１２０は、当該セルの運用帯域幅を移動機２００の個数により除し（運用帯域幅／移動機数）、ハンドオーバ後の移動機２００が平均的に使用可能な使用可能帯域幅（図示された例では、１０ＭＨｚ／（３＋１）＝２．５ＭＨｚ）を算出する。その後、スループット推定部１２０は、単位帯域あたりのスループットと使用可能帯域幅とを乗算し、当該セルにおけるスループット［ｂｐｓ］の推定値を算出する。各セルについて算出されたスループット推定値は無線通信制御部１１０に提供され、無線通信制御部１１０は、最大のスループット推定値のセルを移動機２００のハンドオーバ先として指定する。
【００２７】
ここで、図７においてグラフ表示されたＲＳＲＱと単位帯域あたりのスループット［ｂｐｓ／Ｈｚ］との対応関係は、例えば、図８に示されるような単位帯域あたりのスループットとＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）との間の対応関係から導出可能であり、スループット推定部１２０は、このような単位帯域あたりのスループットとＳＩＮＲとの間の対応関係を示す対応関係情報を予め保持する。図８に示される単位帯域あたりのスループットとＳＩＮＲとの間の対応関係を示すグラフは、シミュレーション等により導出することができる。
【００２８】
このとき、スループット推定部１２０は、移動機２００から報告されるセルのＲＳＲＱ（ＲＳＳＩ（Ｒｅｃｅｉｖｅｄ  Ｓｉｇｎａｌ  Ｓｔｒｅｎｇｔｈ  Ｉｎｄｉｃａｔｏｒ）に対するリファレンス信号の受信電力のレシオ）とリソースブロック（ＲＢ）使用率とに基づき当該セルのＳＩＮＲを算出し、当該対応関係情報を参照して算出したＳＩＮＲに対応する単位帯域あたりのスループットを特定する。このようにして、スループット推定部１２０は、図７に示されるように、ＲＳＲＱから単位帯域あたりのスループットを導出することができる。
【００２９】
なお、ＲＳＲＱからのＳＩＮＲの具体的な算出方法について、スループット推定部１２０は、ＳＩＮＲ＝α・ＲＳＲＱ／（１−α・ＲＳＲＱ）によりＳＩＮＲを算出することができる。ただし、パラメータαはＲＢの使用率に依存する係数であり、α＝０．０８・ＲＢ使用率＋４により算出される。ここで、ＳＩＮＲ及びＲＳＲＱはデシベル値［ｄＢ］でなく、真値である。また、αは、図９に示されるようなリソースブロックにおいて各リソースブロックが等しい電力により送信される、という仮定のもと導出されている。
【００３０】
一般に、ＲＳＲＱは、図示されたリソースブロックにおいてリファレンス信号のための各リソースブロックの受信電力（ＲＳ電力）を太線で囲まれたリソースブロックの受信電力（ＲＳＳＩ）により除したものとして規定されている。リソースブロック使用率が０％であるとき、太線で囲まれたリソースブロックのうちリファレンス信号以外は使用されていないため、ＲＳＲＱ＝ＲＳ電力／（４×ＲＳ電力）＝１／４となる。また、リソースブロック使用率が１００％であるとき、太線で囲まれたリソースブロックの全てが使用されているため、ＲＳＲＱ＝ＲＳ電力／（１２×ＲＳ電力）＝１／１２となる。これらを線形補間することによって、上述したパラメータαの算出式を導出できる。
【００３１】
図１０は、本発明の一実施例によるバンド分散ハンドオーバ制御を示すシーケンス図である。当該バンド分散ハンドオーバ制御において、基地局１００は、自局及び隣接基地局により提供される各セルの運用帯域幅を把握しており、また各セルにおいて無線通信を実行している移動機２００の個数を定期的に収集している。
【００３２】
図１０に示されるように、ステップＳ１０１において、移動機２００は、発着信などのためセル＃１への接続を要求したとする。
【００３３】
ステップＳ１０２において、基地局１００は、各セルのスループットを推定するため、移動機２００に各セルの受信品質を測定させるためのＲＲＣ  Ｃｏｎｎｅｃｔｉｏｎ  Ｒｅｃｏｎｆｉｇｕｒａｔｉｏｎを送信する。
【００３４】
当該ＲＲＣ  Ｃｏｎｎｅｃｔｉｏｎ  Ｒｅｃｏｎｆｉｇｕｒａｔｉｏｎを受信すると、移動機２００は、ステップＳ１０３において、ＲＲＣ  Ｃｏｎｎｅｃｔｉｏｎ  Ｒｅｃｏｎｆｉｇｕｒａｔｉｏｎ  Ｃｏｍｐｌｅｔｅにより応答すると共に、各セルの受信品質を測定する。
【００３５】
ステップＳ１０４において、移動機２００は、各セルについて測定した受信品質（ＲＳＲＱなど）をＭｅａｓｕｒｅｍｅｎｔ  Ｒｅｐｏｒｔとして基地局１００に報告する。
【００３６】
ステップＳ１０５において、基地局１００は、各セルの受信品質、運用帯域幅及び移動機２００の個数に基づき、当該セルのスループットを推定し、推定されたスループットに基づき移動機２００の接続先のセルを決定する。例えば、基地局１００は、セル＃２のスループット推定値が最も高いと判断し、移動機２００の接続先のセルとしてセル＃２を選択する。
【００３７】
ステップＳ１０６において、基地局１００は、セル＃１からセル＃２へのハンドオーバを移動機２００に対して実行する。ハンドオーバ後、移動機２００は、より高いループットを実現できるセル＃２において無線通信を継続する。
【００３８】
他の実施例では、移動機２００は、キャリアアグリゲーション機能をサポートし、基地局１００は、キャリアアグリゲーション可能なセルを介し移動機２００とキャリアアグリゲーションにより通信してもよい。キャリアアグリゲーションによる通信においても、基地局１００は、移動機２００に対してバンド分散制御を実行可能である。キャリアアグリゲーションにおけるバンド分散制御では、基地局１００は、キャリアアグリゲーション可能なセルの組み合わせについてトータルのスループットに基づき、移動機２００の接続先のセルを決定する。
【００３９】
図１１に示される例では、セル＃１とセル＃２とはキャリアアグリゲーション可能であり、セル＃３はキャリアアグリゲーション不可であるとする。移動機２００がバンド分散ハンドオーバによりセル＃１にハンドオーバされたとする。この場合、移動機２００は、セル＃１及びセル＃２と同時通信可能であり、セル＃１のスループットとセル＃２のスループットとのトータルのスループットを実現できる。また、移動機２００がバンド分散ハンドオーバによりセル＃２にハンドオーバされたとする。この場合、移動機２００は、セル＃１及びセル＃２と同時通信可能であり、セル＃１のスループットとセル＃２のスループットとのトータルのスループットを実現できる。一方、移動機２００がバンド分散ハンドオーバによりセル＃３にハンドオーバされたとする。この場合、移動機２００は、セル＃３のみで通信可能であり、セル＃３のスループットしか実現できない。このように、キャリアアグリゲーションが利用される場合、スループット推定部１２０は、キャリアアグリゲーション可能なセルの組み合わせについてトータルのスループットを推定する必要がある。
【００４０】
一実施例では、スループット推定部１２０は、各セルのスループットをセル単位スループットとして推定し、キャリアアグリゲーション可能なセルの組み合わせについて推定されたセル単位スループットの和をトータルスループットとして算出し、無線通信制御部１１０は、算出したトータルスループットに基づき移動機２００の接続先のプライマリセルとセカンダリセルとを決定してもよい。具体的には、スループット推定部１２０はまず、上述したように、各セルの受信品質、運用帯域幅及び移動機２００の個数に基づき、各セルのスループット（セル単位スループット）を推定する。次に、スループット推定部１２０は、キャリアアグリゲーション可能なセルの各組み合わせについて、各セルのセル単位スループットを合計し、当該セルの組み合わせに対するトータルスループットを算出する。
【００４１】
例えば、キャリアアグリゲーション可能な２つのセルの組み合わせについては、スループット推定部１２０は、プライマリセル（ＰＣｅｌｌ）のスループットとセカンダリセル（ＳＣｅｌｌ）のスループットとの和をトータルスループットとして利用する。ここで、ＰＣｅｌｌのスループットは、ＰＣｅｌｌの単位帯域あたりのスループット［ｂｐｓ／Ｈｚ］とＰＣｅｌｌにおいて移動機２００が平均的に使用可能な使用可能帯域幅［Ｈｚ］との積であり（ＰＣｅｌｌの単位帯域あたりのスループット×ＰＣｅｌｌの使用可能帯域幅）、ＳＣｅｌｌのスループットは、ＳＣｅｌｌの単位帯域あたりのスループット［ｂｐｓ／Ｈｚ］とＳＣｅｌｌにおいて移動機２００が平均的に使用可能な使用可能帯域幅［Ｈｚ］との積である（ＳＣｅｌｌの単位帯域あたりのスループット×ＳＣｅｌｌの使用可能帯域幅）。なお、ＰＣｅｌｌにおける使用可能帯域幅は、
ＰＣｅｌｌの運用帯域幅／｛ＣＡ未実施ＵＥ数＋（ＰＣｅｌｌ  ＵＥ数＋１）×β＋ＳＣｅｌｌ  ＵＥ数×（１−β）｝
であり、ＳＣｅｌｌにおける使用可能帯域幅は、
ＳＣｅｌｌの運用帯域幅／｛ＣＡ未実施ＵＥ数＋ＰＣｅｌｌ  ＵＥ数×β＋（ＳＣｅｌｌ  ＵＥ数＋１）×（１−β）｝
である。ここで、パラメータβ（０≦β≦１）は、キャリアアグリゲーションを実施している移動機２００のうち、当該セルをＰＣｅｌｌとして利用している移動機２００に割り当てる帯域の割合を示す。パラメータβの値は、基地局２００によるスケジューリング方法に依存し、例えば、０．５であってもよい。
【００４２】
一実施例では、無線通信制御部１１０は、トータルスループットのうち最も高いスループット値を有するセルの組み合わせを移動機２００の接続先のプライマリセルとセカンダリセルとして決定してもよい。ここで、無線通信制御部１１０は、移動機２００の個数がより少ないセルをプライマリセルとして選択してもよい。
【００４３】
他の実施例では、無線通信制御部１１０は、セル単位スループットのうち最も高いスループット値を有するセルをプライマリセルとして選択し、当該プライマリセルとキャリアアグリゲーション可能なセルのセル単位スループットのうち最も高いスループット値を有するセルをセカンダリセルとして選択してもよい。例えば、キャリアアグリゲーション可能なセルの組み合わせが多数ある場合、実装の簡易化のため、無線通信制御部１１０はまず、セル単位スループットが最も高いセルを接続先のセルとして選択し、その後に当該セルとキャリアアグリゲーション可能なセカンダリセル候補のうちスループットの最も高いセルをセカンダリセルとして設定してもよい。このようにして選択されたプライマリセルとセカンダリセルとの組み合わせは、トータルスループットが最も高いセルの組み合わせになるとは限らず、厳密には最適な組み合わせではないかもしれないが、次善的な組み合わせとして許容できると考えられる。
【００４４】
上述したキャリアアグリゲーションにおけるスループット推定値は、バンド分散制御におけるハンドオーバ先のセルの選択だけでなく、キャリアアグリゲーション制御におけるセカンダリセルの選択に利用されてもよい。すなわち、無線通信制御部１１０は、複数のセカンダリセル候補がある場合、無線通信制御部１１０は、セル単位スループットに基づきセカンダリセルを選択してもよく、具体的には、セカンダリセル候補のうちセル単位スループットの最も高いセルをセカンダリセルとして設定してもよい。
【００４５】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４６】
１０  無線通信システム
１００  基地局
１１０  無線通信制御部
１２０  スループット推定部
２００  移動機
【図１】
0005940131.tif 000002
【図２】
0005940131.tif 000003
【図３】
0005940131.tif 000004
【図４】
0005940131.tif 000005
【図５】
0005940131.tif 000006
【図６】
0005940131.tif 000007
【図７】
0005940131.tif 000008
【図８】
0005940131.tif 000009
【図９】
0005940131.tif 000010
【図１０】
0005940131.tif 000011
【図１１】
0005940131.tif 000012